(57)【要約】      （修正有）【課題】  新規公開株を販売する際、所定期間内に申込みをした購入希望口座の中からポイント数の高い口座が当選し易いシステムを提供する。【解決手段】  抽選の上で新規公開株を販売する新規公開株販売システムであり、１．抽選に申込んだ口座の総数、各口座ＩＤ、各口座ＩＤに関連付けられているポイント数、抽選グループ比率、当選総数、及びグループ当選比率を記憶する記憶手段、２．申込み総数及び抽選グループ比率に基づいて、各グループに属する口座数を算出するグループ口座数計算手段、３．各グループに割り当てられる当選数を算出する当選口座数計算手段、４．口座の各ポイント数に基づいて、各申込み口座ＩＤがいずれに属するかを判断する所属グループ判断手段、５．各グループに属する複数の口座の中から、ランダムに抽出して当選口座とする当選口座決定手段、６．当選口座の口座ＩＤに関連付けられているポイントを減算するポイント減算手段を備える。【選択図】    図２
2006209498.tif 000002
【特許請求の範囲】
【請求項１】
抽選を実施した上で新規公開株を販売する新規公開株販売システムであって、
抽選に申込んだ口座の総数ｍ、第１〜第ｍの口座の各口座ＩＤ、前記第１〜第ｍの口座の各口座ＩＤに関連付けられているポイント数、第１〜第ｎ抽選グループ比率、当選総数、及び第１〜第ｎグループ当選比率を記憶する記憶手段、
前記申込み総数、及び前記第１〜第ｎ抽選グループ比率に基づいて、第１〜第ｎグループの各グループに属する口座数を算出するグループ口座数計算手段、
前記当選総数、及び前記第１〜第ｎグループ当選比率に基づいて、第１〜第ｎグループの各グループに割り当てられる当選数を算出する当選口座数計算手段、
第１〜第ｍ口座の各ポイント数に基づいて、各申込み口座ＩＤが第１〜第ｎグループのいずれに属するかを判断する所属グループ判断手段、
第１グループに属すると判断された複数の口座の中から、第１グループに割り当てられた当選数の口座をランダムに抽出して当選口座とし、残りの口座を非当選口座とし、同様に、第２〜第ｎグループに属すると判断された口座の中から、各グループに割り当てられた当選数の口座をランダムに抽出して当選口座とし、残りの口座を非当選とする当選口座決定手段、
当選口座の口座ＩＤに関連付けられているポイントを減算するポイント減算手段を備えることを特徴とする新規公開株販売システム（ｍ、ｎは、ｍ＞ｎを満たす任意の自然数）。
【請求項２】
抽選参加申込み時に抽選参加の可否を判断する抽選参加申込み受付手段をさらに備え、
前記記憶手段は、前記当選口座であって所定期間内に購入する／しないのデータ入力がなかった口座の口座ＩＤをさらに記憶し、
前記抽選参加申込み受付手段は、前記所定期間内に購入する／しないのデータ入力がなかった口座の抽選参加を認めない請求項１に記載の新規公開株販売システム。
【請求項３】
購入申込み受付手段、及び当選結果通知手段をさらに備え、
前記記憶手段は、非当選口座の順位をさらに記憶し、
前記購入申込み受付手段は、購入辞退を示すデータを受け取ったら前記非当選口座の順位に基づいて最上位の非当選口座を当選口座に繰り上げ、繰り上がり当選口座の口座ＩＤを前記当選結果通知手段に通知し、
前記当選結果通知手段は、前記繰り上がり当選口座の口座ＩＤを受け取ったら、前記口座ＩＤに関連付けられている電子メールアドレスを送付先とする繰り上がり当選通知メールを送信する請求項１又は２に記載の新規公開株販売システム。  
【請求項４】
資産残高確認手段をさらに備え、
前記記憶手段は、抽選対象銘柄の販売価格及び各口座ＩＤの資産残高をさらに記憶し、
前記資産残高確認手段は、抽選時に前記資産残高と前記販売価格とを比較し、前記資産残高が前記販売価格以上である口座のみを抽選の対象とする請求項１乃至３のいずれか一項に記載の新規公開株販売システム。
【請求項５】
抽選を実施した上で新規公開株を販売するための新規公開株販売プログラムであって、コンピュータを、
抽選に申込んだ口座の総数ｍ、第１〜第ｍの口座の各口座ＩＤ、前記第１〜第ｍの口座の各口座ＩＤに関連付けられているポイント数、第１〜第ｎ抽選グループ比率、当選総数、及び第１〜第ｎグループ当選比率を記憶する記憶手段、
前記申込み総数、及び前記第１〜第ｎ抽選グループ比率に基づいて、第１〜第ｎグループの各グループに属する口座数を算出するグループ口座数計算手段、
前記当選総数、及び前記第１〜第ｎグループ当選比率に基づいて、第１〜第ｎグループの各グループに割り当てられる当選口座数を算出する当選口座数計算手段、
第１〜第ｍ口座の各ポイント数に基づいて、各申込み口座ＩＤが第１〜第ｎグループのいずれに属するかを判断する所属グループ判断手段、
第１グループに属すると判断された複数の口座の中から、第１グループに割り当てられた当選数の口座をランダムに抽出して当選口座とし、残りの口座を非当選口座とし、同様に、第２〜第ｎグループに属すると判断された口座の中から、各グループに割り当てられた当選数の口座をランダムに抽出して当選口座とし、残りの口座を非当選とする当選口座決定手段、
当選口座の口座ＩＤに関連付けられているポイントを減算するポイント減算手段として機能させることを特徴とする新規公開株販売プログラム。
【発明の詳細な説明】
【技術分野】
【０００１】
本発明は、例えばインターネットを利用して、新規公開株を販売する際に、購入希望者を募り、所定期間内に申込みをした購入希望者の中から抽選で当選者を決めるシステム及びプログラムに関する。
【背景技術】
【０００２】
インターネットを利用して新規公開株を販売する際に、インターネット上で目論見書を配布でき、これに基づいて投資家の買い付け指示等を処理できるシステムが開示されている（例えば、特許文献１参照）。
【特許文献１】特開２００１−２６５９２８号公報
【発明の開示】
【発明が解決しようとする課題】
【０００３】
しかし、かかる技術では、新規公開株を販売する際に、購入希望者を募り、所定期間内に申込みをした購入希望者の中から抽選で当選者を決めることができない。
【課題を解決するための手段】
【０００４】
本発明の第１の特徴は、抽選を実施した上で新規公開株を販売する新規公開株販売システムであって、（１）抽選に申込んだ口座の総数ｍ、第１〜第ｍの口座の各口座ＩＤ、第１〜第ｍの口座の各口座ＩＤに関連付けられているポイント数、第１〜第ｎ抽選グループ比率、当選総数、及び第１〜第ｎグループ当選比率を記憶する記憶手段、（２）申込み総数、及び第１〜第ｎ抽選グループ比率に基づいて、第１〜第ｎグループの各グループに属する口座数を算出するグループ口座数計算手段、（３）当選総数、及び第１〜第ｎグループ当選比率に基づいて、第１〜第ｎグループの各グループに割り当てられる当選数を算出する当選口座数計算手段、（４）第１〜第ｍ口座の各ポイント数に基づいて、各申込み口座ＩＤが第１〜第ｎグループのいずれに属するかを判断する所属グループ判断手段、（５）第１グループに属すると判断された複数の口座の中から、第１グループに割り当てられた当選数の口座をランダムに抽出して当選口座とし、残りの口座を非当選口座とし、同様に、第２〜第ｎグループに属すると判断された口座の中から、各グループに割り当てられた当選数の口座をランダムに抽出して当選口座とし、残りの口座を非当選とする当選口座決定手段、（６）当選口座の口座ＩＤに関連付けられているポイントを減算するポイント減算手段を備えることにある。なお、ｍとｎは、ｍ＞ｎを満たす任意の自然数とする。
【０００５】
本発明の第２の特徴は、（１）抽選参加申込み時に抽選参加の可否を判断する抽選参加申込み受付手段をさらに備え、（２）記憶手段は、当選口座であって所定期間内に購入する／しないのデータ入力がなかった口座の口座ＩＤをさらに記憶し、（３）抽選参加申込み受付手段は、所定期間内に購入する／しないのデータ入力がなかった口座の抽選参加を認めないことにある。
【０００６】
本発明の第３の特徴は、（１）購入申込み受付手段、及び当選結果通知手段をさらに備え、（２）記憶手段は、非当選口座の順位をさらに記憶し、（３）購入申込み受付手段は、購入辞退を示すデータを受け取ったら非当選口座の順位に基づいて最上位の非当選口座を当選口座に繰り上げ、繰り上がり当選口座の口座ＩＤを当選結果通知手段に通知し、（４）当選結果通知手段は、繰り上がり当選口座の口座ＩＤを受け取ったら、口座ＩＤに関連付けられている電子メールアドレスを送付先とする繰り上がり当選通知メールを送信することにある。
【０００７】
本発明の第４の特徴は、（１）資産残高確認手段をさらに備え、（２）記憶手段は、抽選対象銘柄の販売価格及び各口座ＩＤの資産残高をさらに記憶し、（３）資産残高確認手段は、抽選時に資産残高と販売価格とを比較し、資産残高が販売価格以上である口座のみを抽選の対象とすることにある。
【発明の効果】
【０００８】
本発明の第１の特徴によれば、ポイントの高い口座を当選確率の高いグループに、ポイントの低い口座を当選確率の低いグループに振り分けることによって、ポイントの高い口座を当選し易くすることができる。
【０００９】
本発明の第２の特徴によれば、所定期間内に購入する／しないを表明しなかった口座については次回以降、抽選への参加を拒否するというペナルティを与えることができる。これによって、所定期間内に購入する／しないが表明される確率が高まることが期待できる。
【００１０】
本発明の第３の特徴によれば、購入辞退が発生したら、非当選口座の中から繰り上げ当選口座を迅速に決定することができ、かつ繰り上げ当選口座に迅速に繰り上げ当選となったことを通知することができる。
【００１１】
本発明の第４の特徴によれば、抽選実施の際に、所定の資産残高を有しない口座を抽選対象から除くことができる。
【発明を実施するための最良の形態】
【００１２】
以下に図面に基づいて、本発明を実施するための最良の形態を説明する。なお、以下の説明は、単なる例示に過ぎず、本発明の技術的範囲は以下の説明に限定されるものではない。
【実施例１】
【００１３】
図１は、抽選システムを含む新規公開株販売システムを示す概略構成図である。図１に示すように、新規公開株購入希望者の端末１０は、インターネット等の通信網３０を経由して新規公開株販売システム１００に対して新規公開株の購入を申し込むことが可能である。
【００１４】
新規公開株販売システム１００は、ＣＰＵ１０１、ＲＯＭ１０３、ＲＡＭ１０５、通信手段１０７、銘柄照会手段１１１、抽選参加申込み受付手段１１２、抽選手段１３０、当選結果通知手段１１４、購入申込み受付手段１１５、ＨＤＤ１２０等を備える。これらＣＰＵ１０１等がバス１０８介してデータ送受信可能となっている。
【００１５】
ＣＰＵ１０１は、各種演算、比較等を行う。ＲＯＭ１０３にはＢＩＯＳ等が記憶されている。ＲＡＭ１０５は例えばＳＲＡＭなどである。通信手段は、例えばNIC(Network Interface Card)であり、端末１０との間で各種データを送受信することができる。
【００１６】
ＨＤＤ１２０には、新規公開株公開スケジュール１２１、抽選パラメータ１２２、申込み口座データ１２３、各口座の抽選ポイント１２４、ペナルティデータ１２５等が記憶される。
【００１７】
図２は、抽選手段１３０の内容を具体的に示した図である。図２に示すように、抽選手段１３０は、ポイント計算手段１３１、グループ口座数計算手段１３２、当選口座数計算手段１３３、所属グループ判断手段１３４、当選口座決定手段１３５、抽選ポイントクリア手段１３６、資産残高確認手段１３７を備える。また、各手段の詳細は後述する。
【００１８】
図３は、新規公開株販売処理の全体的な流れを示すフローチャートである。図３に示すように、銘柄照会をし（ステップＳ１１０）、抽選参加申込みを受付け（ステップＳ１２０）、抽選を実施し（ステップＳ１３０）、当選者には当選した旨を通知し（ステップＳ１４０）、当選者からの購入の申込みを受け付ける（ステップＳ１５０）。各ステップの詳細は後述する。
【００１９】
＜新規公開株公開スケジュール登録＞
新規公開株の公開スケジュール１２１を予め登録する。登録内容は、例えば、銘柄を公開する期間（告知期間）、抽選への参加申込み及び申込みの取り消しが可能な期間（抽選参加申込み期間）、抽選を実施する日（抽選日）、抽選結果をホームトレードサイトで公開する日（抽選結果公開日）、抽選当選者が購入の申込み及び購入申込者が購入の辞退を登録可能な期間（購入申込み期間）、目論見書ＰＤＦの最新版のファイル名称及び改訂日、公開価格などの公開条件などである。
【００２０】
＜抽選パラメータ登録・抽選開始指示＞
抽選パラメータ１２２も予め登録する。抽選パラメータには、抽選グループ比率、グループ当選比率が含まれる。
【００２１】
本実施例では、抽選に参加する複数の口座は、ＡグループとＢグループの２つのグループに分割される。
【００２２】
抽選グループ比率とは、抽選に参加する全ての口座の内、Ａグループに振り分けられる口座数と、Ｂグループに振り分けられる口座数との比を意味する。抽選グループ比率に基づいて、各グループに振り分けられる口座数が算出される。例えば、抽選に参加する口座の総数が１０００で、Ａグループの比率が３０％、Ｂグループの比率が７０％の場合、Ａグループに振り分けられる口座数は３００、Ｂグループに振り分けられる口座数は７００となる。
【００２３】
グループ当選比率とは、全ての当選口座数の内、Ａグループに割り当てられる当選口座数と、Ｂグループに割り当てられる当選口座数との比を意味する。グループ当選比率に基づいて、各グループに振り分けられる当選口座数が算出される。例えば、当選口座の総数が１００で、Ａグループの当選比率が５０％、Ｂグループの当選比率が５０％の場合、Ａグループに振り分けられる当選口座数は５０、Ｂグループに振り分けられる当選口座数は５０となる。
【００２４】
＜銘柄照会＞
銘柄照会手段１１１は、新規公開株の各銘柄について、公開条件、購入までのスケジュールを表示する（ステップＳ１１０）。例えば、端末１０がウェブブラウザを用いて新規公開株公開画面を閲覧可能とする。図７（ａ）は、新規公開株公開画面の一例を示す。図７（ａ）に示すように、公開条件には、市場、仮条件価格帯、申込み株数、抽選申込み期間、抽選結果公表日、条件決定日、募集または売出価格、オンライン購入申込み期間、株式公開日などが含まれる。抽選参加期間中銘柄については、抽選参加申込み処理へリンクする。例えば、図７（ａ）の「受付中」５００をクリックすると抽選参加申込み画面へジャンプする。
【００２５】
また、目論見書と内容が同じＰＤＦファイル閲覧へもリンクする。例えば、図７（ａ）の「目論見書と同様の内容を記載した資料」５１０をクリックすると目論見書と内容が同じＰＤＦファイルへジャンプする。
【００２６】
次に、抽選参加申込み（ステップＳ１２０）について説明する。
【００２７】
＜抽選参加申込み＞
抽選参加申込み受付手段１１２は、抽選参加申込み期間中の銘柄について、抽選参加登録、登録取消を受け付ける（ステップＳ１２０）。例えば、図７（ｂ）に示す新規公開株の抽選参加画面で「参加する」ボタン５２０が押されたら、参加申込みがなされたことになる。
【００２８】
図４に抽選参加申込み処理の流れを示す。図４に示すように、抽選参加申込みを受け付けたら（ステップＳ１２１）、参加申込み口座の口座ＩＤに関連づけられているペナルティデータ１２５を調べる（ステップＳ１２２）。当選したにもかかわらず、購入申込み期間内に購入申込みも辞退もしていない口座にはペナルティデータ１２５が記録される。ペナルティデータ１２５は一旦登録されると所定期間（例えば、過去６ヶ月）経過するまでは消去されない。
【００２９】
ペナルティデータの登録が存在する場合は（ステップＳ１２３でＹＥＳへ分岐する場合は）、参加申込みを抑止し（ステップＳ１２４）、処理を終了する。つまり、参加を申込むことができない。
【００３０】
ペナルティデータの登録が存在しない場合は（ステップＳ１２３でＮＯへ分岐する場合は）、抽選参加取引の整合性をチェックする（ステップＳ１２５）。具体的には、申込み口座データ１２３として記憶されている顧客口座の属性（例えば、未成年口座、住所未登録口座など）を参照し、取引可否を判定する。
【００３１】
取引整合性なしと判断された場合は、参加申込みを抑止し（ステップＳ１２４）、処理を終了する。
【００３２】
取引整合性ありと判断された場合は、同一名義人のチェックを行う（ステップＳ１２６）。具体的には、申込み口座データ１２３として記憶されている顧客名、顧客住所等の顧客の属性を参照し、同一名義人が他の口座から既に申し込んでいないかを調べ、取引可否を判定する。
【００３３】
同一名義人が他の口座から既に申し込んでいると判断された場合は、申込者が使用している端末１０に受付終了を通知する画面を表示させるためのＨＴＭＬファイルなどを送信し、端末１０の表示装置に受付終了画面を表示させると共に、申込に関するデータが抽選対象外の無効データとされる（ステップＳ１２８）。
【００３４】
同一名義人が他の口座から申し込んではいないと判断された場合は、参加申込みを認可し（ステップＳ１２７）、ステップＳ１３０へ進む。
【００３５】
ペナルティデータ、取引整合性、同一名義人重複申込みのそれぞれをチェックする順序は前記順序に限定されない。参加申込み抑止（ステップＳ１２４）へ分岐する可能性が高いものから先にチェックすると、チェックを実施する回数が少なくなるため好ましい。
【００３６】
次に、抽選（ステップＳ１３０）について説明する。
【００３７】
＜抽選ポイント累積＞
抽選手段１３０は、抽選開始指示を受け取ったら抽選処理を実施する（ステップＳ１３０）。図５に抽選処理の流れを示す。図５に示すように、顧客資産集計結果（月末処理）、取引高集計結果（営業日処理）に基づいて、ポイント計算手段１３１が、抽選ポイント１２４を算出する（ステップＳ１３１）。抽選ポイントは、累積される。資産残高、取引高が多い口座の抽選ポイントは多くなり、資産残高、取引高が少ない口座の抽選ポイントは少なくなる。
【００３８】
＜抽選＞
ステップＳ１３２では、グループ口座数計算手段１３２が、抽選パラメータ１２２に含まれる抽選グループ比率に基づいて、各グループの口座数を算出する。前記の如く、例えば、抽選に参加する口座の総数が１０００で、Ａグループの比率が３０％、Ｂグループの比率が７０％の場合、Ａグループに振り分けられる口座数は３００、Ｂグループに振り分けられる口座数は７００となる。
【００３９】
さらに、ステップＳ１３２では、当選口座数計算手段１３３が、抽選パラメータ１２２に含まれるグループ当選比率に基づいて、各グループの当選口座数を算出する。前記の如く、例えば、当選口座の総数が１００で、Ａグループの当選比率が５０％、Ｂグループの当選比率が５０％の場合、Ａグループに振り分けられる当選口座数は５０、Ｂグループに振り分けられる当選口座数は５０となる。
【００４０】
ステップＳ１３３では、所属グループ判断手段１３４が、各口座の抽選ポイン１２４に基づいて各口座が属するグループを判断する。例えば、抽選ポイントが高い順に全ての口座をソートし、上から所定数の口座を当選確率が高いグループとし、残りの口座を当選確率が低いグループとする。
【００４１】
ステップＳ１３４では、当選口座決定手段１３５が、グループ別に抽選を行い、当選口座を決定する。例えば、グループ別に抽選開始日・時刻などに基づいて算出する抽選引数から発生するランダム関数により各口座に抽選番号を付与する。例えば、Ａグループに振り分けられた口座数が１００であるなら、それらの各口座に１〜１００の抽選番号をランダムに付与する。そして、Ａグループに振り分けられた当選口座数が５０であるなら、抽選番号が１〜５０である口座を当選口座と決定する。
【００４２】
なお、抽選を開始する前に、資産残高確認手段１３７を用いて各口座の資産残高を確認し、購入金額以上の資産残高が無い場合は、抽選の対象から外すとしても良い。
【００４３】
＜抽選ポイント修正＞
ステップＳ１３５では、当選口座に関連づけられている抽選ポイントをゼロクリアする。
【００４４】
＜当選結果通知＞
当選結果通知手段１１４は、当選結果を当選者に通知する（ステップＳ１４０）。例えば、当選口座に関連づけられている電子メールアドレスへ当選結果確認を促すメールを送信し、抽選参加者に各人専用の抽選結果確認画面へのアクセスを促す。
【００４５】
図８（ａ）に抽選結果確認画面の一例を示す。抽選結果確認画面へアクセスするためには、口座毎に予め登録されているユーザＩＤとパスワードの入力を必要とする。図８（ａ）に示すように、抽選結果確認画面は、銘柄名、抽選状況（抽選結果）、購入申込み画面へのリンク６１０及び購入辞退画面へのリンク６２０を備える。
【００４６】
当選結果確認を促すメールの送付先アドレスは、抽選結果確認画面を閲覧可能な携帯電話のメールアドレスであっても良い。
【００４７】
次に、購入申込み（ステップＳ１５０）について説明する。
【００４８】
＜購入申込み＞
購入申込み受付手段１１５は、購入申込みを受け付ける（ステップＳ１５０）。例えば、図８（ａ）の購入申込み画面へのリンク６１０がクリックされると、購入申込み画面へジャンプする。
【００４９】
図８（ｂ）に購入申込み画面の一例を示す。図８（ｂ）に示すように、購入申込み画面は、市場、募集価格または売出価格、株数、購入金額、オンライン購入申込期間最終日などを含む。購入申込みボタン６３０が押されると購入申込みがなされる。
【００５０】
また、図８（ａ）の購入辞退画面へのリンク６２０がクリックされると、購入辞退画面へジャンプする。図９に購入辞退画面の一例を示す。図９に示す購入辞退ボタン７１０が押されると購入辞退がなされる。
【００５１】
図６は、購入申込み／辞退の処理の流れを示す。ステップＳ１５１では、購入申込み又は購入辞退を受け付ける。
【００５２】
購入申込みがなされた場合は、取引整合性をチェックし（ステップＳ１５４）、目論見書電子交付を行う（ステップＳ１５５）。取引整合性のチェックとは、顧客の属性を参照して取引の可否を判断することである。また、目論見書の電子交付とは、購入申込みの際に購入銘柄の目論見書参照によって購入意思を確認することであり、目論見書の内容を確認したことを示す顧客承諾データを記録する。
【００５３】
購入辞退がなされた場合は、補欠リストを読込み（ステップＳ１５７）、補欠リスト最上位の口座のステータスを当選に変更し（ステップＳ１５８）、ステータスを当選に変更された口座のＩＤを抽選ポイントクリア手段１３６及び当選結果通知手段１１４へ送る（ステップＳ１５９）。
【００５４】
補欠リストとは、非当選口座のリストであって、それら非当選口座を順位付けしたリストである。例えば、Ａグループに振り分けられた口座数が１００で、それらの各口座に１〜１００の抽選番号がランダムに付与され、Ａグループに振り分けられた当選口座数が５０で、抽選番号１〜５０の口座が当選口座と決定されたとする。この場合、抽選番号５１の口座が補欠リスト最上位の口座となり、購入辞退が発生した場合、抽選番号５１の口座が繰り上げ当選となり、抽選番号５１の口座の口座ＩＤが抽選ポイントクリア手段１３６等に送られる。そして、抽選番号５１の口座の抽選ポイントがゼロクリアされ、抽選番号５１となった口座に関連づけられているメールアドレスに抽選結果確認画面の閲覧を促す電子メールが送信される。
【図面の簡単な説明】
【００５５】
【図１】抽選手段を含む新規公開株販売システムを示す概略構成図である。
【図２】抽選手段の内容を具体的に示した図である。
【図３】新規公開株販売処理の全体的な流れを示すフローチャートである。
【図４】抽選参加申込み処理の流れを示すフローチャートである。
【図５】抽選処理の流れを示すフローチャートである。
【図６】購入申込み／辞退の処理の流れを示すフローチャートである。
【図７】（ａ）は新規公開株の公開画面の一例を示し、（ｂ）は新規公開株の抽選参加画面の一例を示す図である。
【図８】（ａ）は抽選結果確認画面の一例を示し、（ｂ）は購入申込み画面の一例を示す図である。
【図９】購入辞退画面の一例を示す図である。
【符号の説明】
【００５６】
１０１…主制御部（ＣＰＵ）
１０３…ＲＯＭ
１０５…ＲＡＭ
１０７…通信手段
１１１…銘柄照会手段
１１２…抽選参加申込み受付手段
１１４…当選結果通知手段
１１５…購入申込み受付手段
１２０…ＨＤＤ
１３０…抽選手段
【図１】
2006209498.tif 000003
【図２】
2006209498.tif 000004
【図３】
2006209498.tif 000005
【図４】
2006209498.tif 000006
【図５】
2006209498.tif 000007
【図６】
2006209498.tif 000008
【図７】
2006209498.tif 000009
【図８】
2006209498.tif 000010
【図９】
2006209498.tif 000011